(57)【要約】【課題】  トイレットペーパーの残量情報を簡易な表示板で表示して見え易く、その動作は機械的に作動することで電源を必要としないトイレットペーパーホルダーを提供すること。【解決手段】  バネ２６の付勢力によってロック体２０のロックアーム２１が表示板１０の係止溝１６に係止して表示板１０を横長状態に保持している。ここで、ペーパー５が使用されて所定量以下に減少してくるに伴い、ロールカバー４が支軸８Ａ、８Ｂを支点として徐々に下方に回動し、やがてカム部４Ｃの長径部にカム倣いアーム２３が接すると、バネ２６の付勢力に抗してロック体２０は時計方向に揺動する。すると、表示板１０の係止溝１６とロックアーム２２の噛み合いが外れ、ロックが解除されて、表示板１０はバネ１２の付勢力により支軸１４を支点として回動して起立し、表示窓７より上方へ飛び出して縦長状態となる。【選択図】  図８
2007050058.tif 000002
【特許請求の範囲】
【請求項１】
トイレットペーパーを支持すると共に一対の支持板に対向するように支軸が設けられたホルダー本体と、前記各支軸が各支持部に嵌合して回動可能に支持されると共に一方の支持部の外周にカム部が形成されたロールカバーと、前記トイレットペーパーの残量が不足する旨の情報を表示する表示板と、前記トイレットペーパーが所定量以上ある状態では前記表示板の揺動を制限すると共に前記トイレットペーパーの残量が不足する状態では前記カム部により揺動することにより前記表示板の揺動を許容するロック体とを設けたことを特徴とするトイレットペーパーホルダー。
【請求項２】
トイレットペーパーを支持すると共に一対の支持板に対向するように枢支部が設けられたホルダー本体と、前記各枢支部に各支持部に設けられた支軸がそれぞれ嵌合して回動可能に支持されると共に一方の支持部の外周にカム部が形成されたロールカバーと、前記トイレットペーパーの残量が不足する旨の情報を表示する表示板と、前記トイレットペーパーが所定量以上ある状態では前記表示板の揺動を制限すると共に前記トイレットペーパーの残量が不足する状態では前記カム部により揺動することにより前記表示板の揺動を許容するロック体とを設けたことを特徴とするトイレットペーパーホルダー。
【請求項３】
トイレットペーパーを支持すると共に一対の支持板に対向するように支軸が設けられたホルダー本体と、前記各支軸が各支持部に嵌合して回動可能に支持されると共に一方の支持部に規制部が形成されたロールカバーと、前記トイレットペーパーの残量が不足する旨の情報を表示するもので前記規制部に係合する被規制部が形成された表示板とを備え、前記トイレットペーパーが所定量以上ある状態では前記表示板の被規制部が前記ロールカバーの規制部に係合して該表示板の揺動を制限し、前記トイレットペーパーの残量が不足する状態では前記表示板の被規制部と前記ロールカバーの規制部との係合が解除されて前記表示板の揺動を許容するようにしたことを特徴とするトイレットペーパーホルダー。
【請求項４】
トイレットペーパーを支持すると共に一対の支持板に対向するように枢支部が設けられたホルダー本体と、前記各枢支部に各支持部に設けられた支軸がそれぞれ嵌合して回動可能に支持されると共に一方の支持部に規制部が形成されたロールカバーと、前記トイレットペーパーの残量が不足する旨の情報を表示するもので前記規制部に係合する被規制部が形成された表示板とを備え、前記トイレットペーパーが所定量以上ある状態では前記表示板の被規制部が前記ロールカバーの規制部に係合して該表示板の揺動を制限し、前記トイレットペーパーの残量が不足する状態では前記表示板の被規制部と前記ロールカバーの規制部との係合が解除されて前記表示板の揺動を許容するようにしたことを特徴とするトイレットペーパーホルダー。
【請求項５】
前記表示板は、付勢体により回動するように付勢されていることを特徴とする請求項１乃至請求項４のいずれかに記載のトイレットペーパーホルダー。
【発明の詳細な説明】
【技術分野】
【０００１】
この発明は、トイレットペーパーホルダーに関するものである。
【背景技術】
【０００２】
従来、トイレットペーパーの残量は目視で確認し交換しており、交換を忘れてペーパー不足をきたし、慌てることがある。事前に交換目安が判別できてストックを準備できていれば、不測の事態を避けることが可能である。そこで、特許文献１のように、電気信号によりペーパー残量情報を表示する技術が提案されている。
【特許文献１】特開２００２−２６３０３２号公報
【発明の開示】
【発明が解決しようとする課題】
【０００３】
しかしながら、この種のものでは、電源を要するため工事を伴うか或いは電源としての電池が必要となり、駆動電源を常時備えなければならないし、残量情報をリセットするまで発信し続けて、電源の消耗が著しく不経済である。
【０００４】
そこで本発明は、トイレットペーパーの残量情報を簡易な表示板で表示して見え易く、その動作は機械的に作動することで電源を必要としないトイレットペーパーホルダーを提供することを目的とする。
【課題を解決するための手段】
【０００５】
このために第１のトイレットペーパーホルダーに係る発明は、トイレットペーパーを支持すると共に一対の支持板に対向するように支軸が設けられたホルダー本体と、前記各支軸が各支持部に嵌合して回動可能に支持されると共に一方の支持部の外周にカム部が形成されたロールカバーと、前記トイレットペーパーの残量が不足する旨の情報を表示する表示板と、前記トイレットペーパーが所定量以上ある状態では前記表示板の揺動を制限すると共に前記トイレットペーパーの残量が不足する状態では前記カム部により揺動することにより前記表示板の揺動を許容するロック体とを設けたことを特徴とする。
【０００６】
また第２のトイレットペーパーホルダーに係る発明は、トイレットペーパーを支持すると共に一対の支持板に対向するように枢支部が設けられたホルダー本体と、前記各枢支部に各支持部に設けられた支軸がそれぞれ嵌合して回動可能に支持されると共に一方の支持部の外周にカム部が形成されたロールカバーと、前記トイレットペーパーの残量が不足する旨の情報を表示する表示板と、前記トイレットペーパーが所定量以上ある状態では前記表示板の揺動を制限すると共に前記トイレットペーパーの残量が不足する状態では前記カム部により揺動することにより前記表示板の揺動を許容するロック体とを設けたことを特徴とする。
【０００７】
第３トイレットペーパーホルダーに係る発明は、トイレットペーパーを支持すると共に一対の支持板に対向するように支軸が設けられたホルダー本体と、前記各支軸が各支持部に嵌合して回動可能に支持されると共に一方の支持部に規制部が形成されたロールカバーと、前記トイレットペーパーの残量が不足する旨の情報を表示するもので前記規制部に係合する被規制部が形成された表示板とを備え、前記トイレットペーパーが所定量以上ある状態では前記表示板の被規制部が前記ロールカバーの規制部に係合して該表示板の揺動を制限し、前記トイレットペーパーの残量が不足する状態では前記表示板の被規制部と前記ロールカバーの規制部との係合が解除されて前記表示板の揺動を許容するようにしたことを特徴とする。
【０００８】
第４トイレットペーパーホルダーに係る発明は、トイレットペーパーを支持すると共に一対の支持板に対向するように枢支部が設けられたホルダー本体と、前記各枢支部に各支持部に設けられた支軸がそれぞれ嵌合して回動可能に支持されると共に一方の支持部に規制部が形成されたロールカバーと、前記トイレットペーパーの残量が不足する旨の情報を表示するもので前記規制部に係合する被規制部が形成された表示板とを備え、前記トイレットペーパーが所定量以上ある状態では前記表示板の被規制部が前記ロールカバーの規制部に係合して該表示板の揺動を制限し、前記トイレットペーパーの残量が不足する状態では前記表示板の被規制部と前記ロールカバーの規制部との係合が解除されて前記表示板の揺動を許容するようにしたことを特徴とする。
【０００９】
更に第５発明は、第１乃至第４のいずれかのトイレットペーパーホルダーに係る発明において、前記表示板は、付勢体により回動するように付勢されていることを特徴とする。
【発明の効果】
【００１０】
以上のように本発明によれば、残量情報を電気方式ではなく簡易な表示板方式のため見えやすく、その動作は機械的に作動することで電源を必要としない。また、表示板の情報メニューにはアニメキャラクタ等を用いることで子供にも興味を持たせられるトイレットペーパーホルダーを提供することもできる。
【発明を実施するための最良の形態】
【００１１】
以下、この発明の実施形態を図に基づき説明する。図１はトイレットペーパーホルダーの斜視図、図２はホルダー本体の斜視図であり、ホルダー本体１の両側面には一対の支持板２Ａ、２Ｂがある。この各支持板２の内側には、対向した位置に支軸３Ａ、３Ｂと、支軸８Ａ、８Ｂが突設している。各支軸３Ａ、３Ｂ及び支軸８Ａ、８Ｂは軸芯に圧縮バネが内蔵してあり、通常は支持板２Ａ、２Ｂより内方へ突出しているが、ロール状のトイレットペーパー５や後述するロールカバー４の装着時には外方へ押し込める（へこむ）構造になっている。そして、前記支軸３Ａ、３Ｂにはロール状のペーパー５の軸芯が挿入されて装着される。
【００１２】
図３において、４はロールカバーで、このロールカバー４の後端両側部には対向するように支持部４Ａ、４Ｂが形成される。そして、前記支軸８Ａ、８Ｂがこの支持部４Ａ、４Ｂに開設された嵌合孔４１Ａ、４１Ｂに嵌合し、後端が回動可能に支持されペーパー５を上方より押えている。また、ホルダー本体１の上部には上板２Ｃが張り出しており、この上板２Ｃ前端とロールカバー４後端との間にはペーパーストック袋を通す隙間９が形成される。また、前記上板２Ｃの中央部には表示窓７が設けられている。
【００１３】
なお、前記ロールカバー４の幅寸法はペーパー５の幅寸法とほぼ等しく、その形状は後端から先端に向かって平板状であるが先端近傍で下方にやや湾曲し、ペーパー５の外周を包む曲率となっている。そして、前記ロールカバー４は先端部が重くなるように形成してあり、その先端部にはペーパー５を必要量カットするのに便宜な波形刃を形成してもよい。
【００１４】
前記ホルダー本体１奥の後壁２Ｄの右部には支軸１４が突設しており、ペーパー５の残量情報を表示する横長の表示板１０に開設された支持孔１１に嵌合し、この表示板１０の回動の支点となっている。図４に示すように、この表示板１０の支持孔１１の近傍には表示板１０を縦長状態となるように付勢する付勢体であるバネ１２の一端を止める掛止め部１３が形成され、前記後壁２Ｄに設けられた支軸１４の近傍にはこの支軸１４に巻回したバネ１２の他端を止める掛止め部１５が設置されている。そして、後壁２Ｄ左部にはＬ字形の支軸１７が突設しており、その軸端部が上向きに立ち上がっている。
【００１５】
そして、掛止め部１５及び１８に係止されたバネ１２により、縦長状態となるように付勢された表示板１０を横長状態に保持するために、前記支軸１７に回動可能に支持されたロック体２０のロックアーム２１が表示板１０の軸支側とは反対側に形成された係止溝１６に係止している。
【００１６】
図５に示すように、前記ロック体２０はその中間部には軸支孔２２が開設されて、前記支軸１７が嵌合して、このロック体２０の回動を可能としている。そして、このロック体２０は中間部から外方へ三方向にアームが延びており、先端に鉤爪の付いたロックアーム２１と、一方の支持部４Ａの外周部に形成されたカム部４Ｃに圧接するカム倣いアーム２３、先端に係止孔２４Ａを有したテンションアーム２４が設けられる。
【００１７】
また、前記ロック体２０のテンションアーム２４の係止孔２４Ａにはバネ２６の一端が係止し、他端はホルダー本体１の後壁２Ｄに形成された掛止め部２５に係止しており、ペーパー５が十分にある状態では、バネ２６の付勢力によってロック体２０のロックアーム２１が表示板１０の係止溝１６に係止して表示板１０を横長状態に保持している。
【００１８】
以下、トイレットペーパーホルダーの使用事例を示す。まず初めに、ロールカバー４を押し上げて、ロール状のトイレットペーパー５の軸芯に支軸３Ａ、３Ｂを挿入して装着する。このとき、表示板１０は表示されたペーパー残量不足情報が見えるように、縦長状態のままになっている。
【００１９】
そして、装着が完了したらペーパー５に沿わせてロールカバー４を下ろし、表示板１０を手動で反時計方向に回動して押し下げる。このとき、程よく押し下げると、表示板１０の係止溝１６にロックアーム２２先端部が噛み合いロックされる（図６参照）。即ち、バネ２６の付勢力によってロック体２０のロックアーム２１が表示板１０の係止溝１６に係止して表示板１０を横長状態に保持している。しかも、ロールカバー４はトイレットペーパー５の上面に接しており、一方の支持部４Ａの外周部のカム部４Ｃの短径部にカム倣いアーム２３が圧接している状態である。
【００２０】
ここで、ペーパー５が使用されて所定量以下に減少してくるに伴い、ロールカバー４が支軸８Ａ、８Ｂを支点として徐々に下方に回動し、やがてカム部４Ｃの長径部にカム倣いアーム２３が接すると、図７に示すように、バネ２６の付勢力に抗してロック体２０は時計方向に揺動（回動）する。すると、表示板１０の係止溝１６とロックアーム２２の噛み合いが外れ、ロックが解除されて（表示板１０の揺動が許容され）、表示板１０はバネ１２の付勢力により支軸１４を支点として揺動して起立し、表示窓７より上方へ飛び出して縦長状態となる（図８参照）。このとき、表示板１０に表示した文字が現れてペーパー残量不足情報が電源を使用することなく機械的に発信される。
【００２１】
その後、ペーパー５を交換するまで、表示板１０はこの表示状態を維持する。この場合、表示板１０に記載した情報は見え易く、遠く離れた位置でも確認でき、常に使用者に安心感を与えてくれるものである。
【００２２】
なお、この表示板１０に付された情報は、文字に限らず、記号、絵などでもよい。特に、アニメキャラクタや動物の絵などを使用すると、小さな子供でも興味を持ち、保護者に知らせることにより、新しいペーパー５を速やかに装着することができることとなる。
【００２３】
また、前述した実施形態は、ペーパー５が減少するに伴い、ロールカバー４が徐々に下方に回動し、やがて前記トイレットペーパーの残量が不足する状態ではカム部４Ｃの長径部にカム倣いアーム２３が接し、バネ２６の付勢力に抗してロック体２０は時計方向に揺動するので、表示板１０の係止溝１６とロックアーム２２の噛み合いが外れ、ロックが解除されて、表示板１０はバネ１２の付勢力により支軸１４を支点として揺動して表示窓７より上方へ飛び出す構成であったが、次に第２の実施形態を図９及び図１０に基づき、以下説明する。
【００２４】
即ち、ロールカバー４の支持部４Ａの内側面に１２０度位に亘って薄肉の規制部４Ｄを形成すると共に表示板１０の側面上部に弾性を有するゴム製の被規制部１０Ａを突設させる。そして、ペーパー５が所定量以上あるときには表示板１０の被規制部１０Ａがロールカバー４の支持部４Ａの規制部４Ｄに係合（当接）してバネ１２の付勢力に抗して表示板１０の揺動を禁止し、ペーパー５が減少して所定量以下となると（前記トイレットペーパーの残量が不足すると）、ロールカバー４の回動に伴い表示板１０の被規制部１０Ａがロールカバー４の支持部４Ａの規制部４Ｄから外れるので、表示板１０はバネ１２の付勢力により支軸１４を支点として揺動して表示窓７より上方へ飛び出し、事前にペーパー５の交換目安が判別できる。
【００２５】
また以上の第１及び第２の実施形態では、ホルダー本体１の一対の支持板２Ａ、２Ｂに対向するように支軸８Ａ、８Ｂを設けて、この各支軸８Ａ、８Ｂがロールカバー４の各支持部４Ａ、４Ｂの嵌合孔４１Ａ、４１Ｂに嵌合して、ホルダー本体１にロールカバー４を回動可能に設ける構成にしたが、これに限らず、一対の支持板２Ａ、２Ｂに対向するように枢支溝や枢支孔などの枢支部を設けて、この各枢支部に各支持部４Ａ、４Ｂに設けられた支軸がそれぞれ嵌合して、ホルダー本体１にロールカバー４を回動可能に設ける構成にしてもよい。
【００２６】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２７】
【図１】トイレットペーパーホルダーの斜視図である。
【図２】ホルダー本体の斜視図である。
【図３】ロールカバーの斜視図である。
【図４】表示板の背面斜視図である。
【図５】ロック体の斜視図である。
【図６】残量が所定量以上の状態のトイレットペーパーホルダーの部分平面図である。
【図７】残量が不足となった状態のトイレットペーパーホルダーの部分平面図である。
【図８】ペーパー残量不足情報表示状態のトイレットペーパーホルダーの斜視図である。
【図９】ロールカバー及び表示板の部分斜視図である。
【図１０】ロールカバー及び表示板の部分側面図である。
【符号の説明】
【００２８】
１            ホルダー本体
２Ａ、２Ｂ    支持部
４            ロールカバー
４Ａ、４Ｂ    支持部
４Ｃ          カム部
４Ｄ          規制部
１０Ａ        被規制部
５            トイレットペーパー
８Ａ、８Ｂ    支軸
１０          表示板
１４          支軸
１６          係止溝
２０          ロック体
２１          ロックアーム
２３          カム倣いアーム
２６          バネ
【図１】
2007050058.tif 000003
【図２】
2007050058.tif 000004
【図３】
2007050058.tif 000005
【図４】
2007050058.tif 000006
【図５】
2007050058.tif 000007
【図６】
2007050058.tif 000008
【図７】
2007050058.tif 000009
【図８】
2007050058.tif 000010
【図９】
2007050058.tif 000011
【図１０】
2007050058.tif 000012